(57)【要約】【課題】ＦＰＤを用いた長尺撮影において、複数の画像を合成する際の目印となるマーカーの配置を簡単に行い長尺撮影の手間を省く。【解決手段】一部分ずつ重複した複数の撮影画像を該重複部分で合成することにより長尺画像を得る放射線長尺撮影に用いられる撮影支援装置であって、放射線透過性の材料で形成され前記被検体を支える衝立と、放射線減弱係数の大きい物質で形成され前記画像を合成する際の目印となるように、前記衝立が前記被検体を支える面に沿って移動可能に配置されるマーカーと、前記放射線の照射範囲を決定する照射範囲決定手段と、前記決定した照射範囲に基づいて、前記マーカーを配置する位置を決定するマーカー位置決定手段と、前記決定されたマーカーの位置まで前記マーカーを移動するマーカー移動手段と、を備えたことを特徴とする放射線長尺撮影に用いられる撮影支援装置を提供する。【選択図】図１
2009225945.tif 000002
【特許請求の範囲】
【請求項１】
その一部分ずつが重複した複数の撮影画像を該重複部分で合成することにより放射線検出器の最大視野の長さよりも長い被検体の画像を得る放射線長尺撮影における撮影支援装置であって、
放射線透過性の材料で形成され、前記被検体を支える支持部材と、
放射線減弱係数の大きい物質で形成され、前記画像を合成する際の目印となるように、前記衝立が前記被検体を支える面に沿って移動可能に配置されるマーカーと、
前記放射線の照射範囲を決定する照射範囲決定手段と、
前記決定した照射範囲に基づいて、前記マーカーを配置する位置を決定するマーカー位置決定手段と、
前記決定されたマーカーの位置まで前記マーカーを移動するマーカー移動手段と、
を備えたことを特徴とする放射線長尺撮影における撮影支援装置。
【請求項２】
前記被検体を立位状態に配置したことを特徴とする請求項１に記載の放射線長尺撮影における撮影支援装置。
【請求項３】
前記マーカーは、前記被検体の体軸に略平行に配置され、互いにその間隔を狭めたり広げたりするよう平行移動される２本の棒状の部材上に所定個数が所定間隔で配置され、さらに、前記マーカー移動手段は、前記マーカーが配置された２本の棒状の部材を平行移動する手段であることを特徴とする請求項２に記載の放射線長尺撮影における撮影支援装置。
【請求項４】
前記照射範囲決定手段は、前記放射線の線源と前記放射線検出器との距離および前記放射線の絞りサイズとから前記照射範囲を計算して決定することを特徴とする請求項１〜３のいずれかに記載の放射線長尺撮影における撮影支援装置。
【請求項５】
請求項３に記載の放射線長尺撮影における撮影支援装置であって、さらに、前記放射線の線源と略同じ位置に配置され前記被検体に可視光を照射する照射野ランプと、前記棒状の部材上に複数配置された光検出器を備え、前記照射範囲決定手段は、前記棒状の部材を平行移動させながら前記照射野ランプの光を検出することで前記照射範囲を決定することを特徴とする放射線長尺撮影における撮影支援装置。
【発明の詳細な説明】
【技術分野】
【０００１】
本発明は、放射線長尺撮影における撮影支援装置に係り、特に、ＦＰＤ（フラットパネルディテクタ）を用いた放射線長尺撮影において、放射線の照射野を変更しながら撮影して得られた複数枚の画像を連結する際、正確に各画像の連結位置を合わせるための放射線長尺撮影における撮影支援装置に関する。
【背景技術】
【０００２】
従来より、Ｘ線等の放射線を被検体に照射し、その透過放射線を検出して、放射線画像を取得し、診断に供する放射線画像撮影装置が広く知られている。この放射線画像撮影装置において、被検体を透過した放射線を検出する放射線検出器として、放射線フィルムや、放射線エネルギーを蓄積する蓄積性蛍光体シートを用いるものなどが知られている。
【０００３】
また、医療診断用の放射線画像の撮影において、全脊椎や下肢全長を一度に被写体全体を把握し診断するために、長尺撮影が行われている。
【０００４】
従来の長尺撮影においては、長尺な放射線フィルムを長尺な専用カセッテに収納して撮影を行ったり、複数の蓄積性蛍光体シートを互いに部分的に重なり合うように配置して長尺な専用カセッテに収納して撮影を行っていた。
【０００５】
また、近年では、Ｘ線管によるＸ線照射に伴って生じる被検体のＸ線透過像を検出するＸ線検出器として、半導体等を利用した極めて多数個のＸ線検出素子をＸ線検出面に縦横に配列したフラットパネル型Ｘ線検出器（ＦＰＤ、フラットパネルディテクタ）が用いられている。
【０００６】
このようなＦＰＤを用いた長尺撮影においては、Ｘ線管球とＸ線検出器を連動させて、Ｘ線の照射野を変更しながら複数枚のＸ線画像を取得し、これら複数の画像を連結して一つの長尺な画像を得るようにしている。
【０００７】
このとき、各画像の重複部に位置合わせの際の目印とするためのマーカーが被写体と一緒に撮影される。そして、複数の画像を連結する際には、このマーカーを基準に位置合わせが行われ自動的に画像が合成される。なお、マーカーは、例えば鉛などのＸ線減弱の大きい物質で形成され、Ｘ線源とＸ線検出器（ＦＰＤ）との間の被写体の像と重ならないような位置に配置される。
【０００８】
このような、複数撮影を行う長尺撮影を実施する場合には、撮影と撮影の間にＸ線検出器及びＸ線管球が移動している間に、被写体（患者）の姿勢に変化が生じてしまい、画像合成に不都合が生じる可能性がある。
【０００９】
そこで従来、これを避けるために、Ｘ線検出器の手前に衝立を設置して、患者がこの衝立に寄り掛かることで、その姿勢変化を抑えるようにしたものが知られている（例えば、特許文献１等参照）。
【特許文献１】特開２００５−２７８８１２号公報
【発明の開示】
【発明が解決しようとする課題】
【００１０】
しかしながら、上記従来技術では、マーカーを用いて位置合わせを行うことで複数画像を合成して長尺画像を得る際の精度向上を図るようにしているが、ＦＰＤを用いた長尺撮影においては、マーカーとＦＰＤとの関係が一定ではなく、撮影する患者毎にＸ線の照射野が変更されるため、マーカーを配置する位置を、被写体（患者）とは重ならず、かつ連結される画像間の重複領域内に収め、さらに画像の外にはみ出さないような位置にする必要があり、長尺撮影の手間が非常にかかるという問題がある。
【００１１】
本発明は、このような事情に鑑みてなされたもので、ＦＰＤを用いた長尺撮影において、複数の画像を合成する際の目印となるマーカーの配置を簡単に行い長尺撮影の手間を省くことのできる放射線長尺撮影における撮影支援装置を提供することを目的とする。
【課題を解決するための手段】
【００１２】
前記目的を達成するために、請求項１に記載の発明は、その一部分ずつが重複した複数の撮影画像を該重複部分で合成することにより放射線検出器の最大視野の長さよりも長い被検体の画像を得る放射線長尺撮影に用いられる撮影支援装置であって、放射線透過性の材料で形成され、前記被検体を支える支持部材と、放射線減弱係数の大きい物質で形成され、前記画像を合成する際の目印となるように、前記衝立が前記被検体を支える面に沿って移動可能に配置されるマーカーと、前記放射線の照射範囲を決定する照射範囲決定手段と、前記決定した照射範囲に基づいて、前記マーカーを配置する位置を決定するマーカー位置決定手段と、前記決定されたマーカーの位置まで前記マーカーを移動するマーカー移動手段と、を備えたことを特徴とする放射線長尺撮影における撮影支援装置を提供する。
【００１３】
これにより、ＦＰＤを用いた長尺撮影において、撮影目的によらずに確実にマーカーを照射範囲内に収めることができ、複数の画像を合成する際の目印となるマーカーの配置を簡単に行い、長尺合成における位置合わせの失敗率を減らすことができ、適切な長尺自動合成結果を得ることができるようになる。
【００１４】
また、撮影者がマーカーの位置を設定する必要がないため、撮影時間の短縮が可能となり業務の効率化を図ることができ、従来煩雑であった長尺撮影の手間を省くことができる。
【００１５】
また、請求項２に示すように、前記被検体を立位状態に配置したことを特徴とする。
【００１６】
これにより、立位状態でも長尺撮影を簡単に行うことができる。
【００１７】
また、請求項３に示すように、前記マーカーは、前記被検体の体軸に略平行に配置され、互いにその間隔を狭めたり広げたりするよう平行移動される２本の棒状の部材上に所定個数が所定間隔で配置され、さらに、前記マーカー移動手段は、前記マーカーが配置された２本の棒状の部材を平行移動する手段であることを特徴とする。
【００１８】
これにより、マーカーの配置を簡単に行うことができる。
【００１９】
また、請求項４に示すように、前記照射範囲決定手段は、前記放射線の線源と前記放射線検出器との距離および前記放射線の絞りサイズとから前記照射範囲を計算して決定することを特徴とする。
【００２０】
これにより、照射野を計算で算出することができるため、照射野幅に応じてマーカーの位置を適切な位置に自動的に移動することができる。
【００２１】
また、請求項５に示すように、請求項３に記載の放射線長尺撮影における撮影支援装置であって、さらに、前記放射線の線源と略同じ位置に配置され前記被検体に可視光を照射する照射野ランプと、前記棒状の部材上に複数配置された光検出器を備え、前記照射範囲決定手段は、前記棒状の部材を平行移動させながら前記照射野ランプの光を検出することで前記照射範囲を決定することを特徴とする。
【００２２】
これにより、マーカー位置の設定からその移動まですべてを自動的に行うことができ、長尺撮影の作業の効率化を一層勧めることが可能となる。
【発明の効果】
【００２３】
以上説明したように、本発明によれば、ＦＰＤを用いた長尺撮影において、撮影目的によらずに確実にマーカーを照射範囲内に収めることができ、複数の画像を合成する際の目印となるマーカーの配置を簡単に行い、長尺合成における位置合わせの失敗率を減らすことができ、適切な長尺自動合成結果を得ることができるようになる。
【００２４】
また、撮影者がマーカーの位置を設定する必要がないため、撮影時間の短縮が可能となる業務の効率化を図ることができ、従来煩雑であった長尺撮影の手間を省くことが可能となる。
【発明を実施するための最良の形態】
【００２５】
以下、添付図面を参照して、本発明に係る放射線長尺撮影における撮影支援装置について詳細に説明する。
【００２６】
図１は、本発明に係る放射線長尺撮影における撮影支援装置を用いた放射線画像撮影装置の第１の実施形態を示す概略構成図である。
【００２７】
図１に示すように、本実施形態の放射線画像撮影装置１０は主に、被検体ＭにＸ線を照射するＸ線源１２と、Ｘ線源１２から射出されたＸ線を絞るコリメータ１４と、被検体Ｍを透過したＸ線を検出して検出信号を出力するフラットパネル型Ｘ線検出器（ＦＰＤ、フラットパネルディテクタ）１６と、長尺撮影をする場合の撮影支援装置を構成する衝立１８及び複数の撮影画像を合成する際の目印となるマーカー２２を含むマーカー装置２０と、以上の各構成要素を制御する制御部２４とを含んで構成される。
【００２８】
Ｘ線源１２は、細かい構成についての説明は省略するが、被検体ＭにＸ線を照射するＸ線管を有し、制御部２４によりＸ線管に付与される管電圧及び管電流が制御され、出射されるＸ線のエネルギーが制御される。
【００２９】
ＦＰＤ１６は、その表面の受光面が平板状に形成され、受光面が水平または垂直となるように傾きが変更可能となっており、被検体Ｍの背中に当てて用いられ、被検体Ｍを透過してきたＸ線を光電的に検出してアナログ電気信号を出力するものである。ＦＰＤ１６の出力信号は制御部２４に入力され、制御部２４においてデジタル信号に変換されて画像処理が施される。なお、ＦＰＤ１６は、図示は省略するが被検体Ｍの体軸に平行に設けられた支柱に沿って移動可能に構成されている。
【００３０】
衝立１８は、被検体Ｍを立位状態で、例えば全脊椎などを長尺撮影する場合のように複数枚の画像を撮影している間中、被検体Ｍの姿勢を固定するためのものである。なお、衝立１８は、放射線透過性の材料で形成される。
【００３１】
マーカー装置２０は、複数の撮影画像を合成する際の目印となるマーカー２２を、被検体Ｍ及び撮影画像に応じて適切な位置に配置するものである。
【００３２】
マーカー２２は、マーカー保持部材２６に設置され、図に符号Ｗで示すＸ線の照射野幅の方向にマーカー移動手段２８によって移動可能となっている。
【００３３】
図２は、この放射線画像撮影装置１０を用いて脊椎を長尺撮影する様子を示す側面図である。
【００３４】
まず、図２（ａ）に示すように、被検体Ｍが衝立１８に背中を付けて立つと、図示を省略した移動手段により、ＦＰＤ１６を被検体Ｍの胸部を透過してきたＸ線を検出できる位置に配置する。次に、Ｘ線の照射範囲（照射野）を求め、照射範囲の横方向端部にマーカー保持部材２６をマーカー移動手段２８によって移動させる。そして、Ｘ線源１２から被検体Ｍの胸部に向けてＸ線を照射して、脊椎の上半分の撮影を行う。
【００３５】
ＦＰＤ１６に入射して検出された検出信号は制御部２４に送られる。制御部２４では、送られた検出信号をデジタル信号に変換して、画像データを生成し、一旦メモリ（図示量略）に格納しておく。
【００３６】
次に、図２（ｂ）に示すように、今度はＦＰＤ１６を下方に移動し、被検体Ｍの腹部を透過してきたＸ線を検出できる位置に配置する。そして、マーカー２２の位置はそのままで、Ｘ線源１２から照射されるＸ線の方向を変え被検体Ｍの腹部に向けてＸ線を照射して、脊椎の下半分の撮影を行う。
【００３７】
ＦＰＤ１６で検出された信号は、制御部２４に送られデジタル信号に変換されて画像データが生成される。この画像データも一旦メモリに格納される。これら各撮影画像には被検体Ｍの画像とともに各画像の重複部分にマーカー２２も一緒に撮影されている。
【００３８】
そして、制御部２４において、先に撮影した脊椎の上半分の画像と、後から撮影した脊椎の下半分の画像がメモリから読み出されて、各画像の重複部分内に撮影されたマーカー２２に基づいて位置合わせが行われ、２つの画像が合成されて、全脊椎を表す一つの長尺な画像が得られる。
【００３９】
図３に、衝立１８及びマーカー装置２０の概略を正面図で示す。
【００４０】
図３に示すように、衝立１８は、図示を省略した台の上に垂直に立てられ、平板状に形成されている。衝立１８は、もちろん放射線透過性の材質で形成されている。
【００４１】
また、衝立１８の後側には、上下に設けられたマーカー移動手段２８の間に、掛け渡された棒状の部材であるマーカー保持部材２６が平行に配置されている。マーカー保持部材２６上には、等間隔にマーカー２２が複数配置されている。図に矢印で示したように、２つのマーカー保持部材２６は、マーカー移動手段２８によって左右に平行移動可能に形成されている。なお、マーカー移動手段２８を支持する部材などについてはその表示を省略している。
【００４２】
また、Ｘ線による照射範囲（照射野）を、図中に、破線、一点鎖線及び二点鎖線で３つ表示した。このように、照射範囲は、２つの照射範囲が重なる重複部分Ｂ内にマーカー２２が含まれるように設定される。
【００４３】
なお、図３では省略したが、各照射範囲にあたる位置の後方にＦＰＤ１６を配置してＸ線を照射して撮影が行われる。図３に示した例では、３回の撮影が行われることとなる。
【００４４】
図４に、マーカー２２の形状の例を示す。
【００４５】
マーカー２２は、図４（ａ）あるいは（ｂ）のように、クロス状のものや、図４（ｃ）のように折れ線状（角がある）構造を有する形状のものが使用される。また、一方、図４（ｄ）や（ｅ）に示すもののように、類似の構造を平行に２箇所以上もつような形状はマーカー２２には使用しない。
【００４６】
マーカー２２は、例えば図４（ａ）〜（ｃ）に示したような形状を、例えば鉛のように放射線減弱係数の大きい物質で、少なくとも１０ｍｍ以上の大きさに形成し、マーカー保持部材２６に接着される。なお、マーカー保持部材２６は、Ｘ線透過性の材料で形成されている。
【００４７】
図５に、マーカー移動手段２８の一つの具体例を示す。
【００４８】
図５に示すように、マーカー保持部材２６の上端にはナット３０が形成され、これにボールねじ３２が螺挿されている。ボールねじ３２は、モータ３４によって正逆２方向に回転される。また、ボールねじ３２には、その中心Ｃを境にして、右側と左側とで逆方向にねじが切られており、２つのマーカー保持部材２６は、それぞれ逆方向に切られたねじと螺合している。
【００４９】
従って、ボールねじ３２の回転により、２つのマーカー保持部材２６は、互いに逆方向に移動し、互いに接近したり互いに離れたりするようになっている。
【００５０】
また、マーカー保持部材２６の端部に設けられたナット３０の上側には直動ガイド３６が配設されており、ナット３０の上部に設けられた凸部３０ａが直動ガイド３６の溝３６ａに摺動可能に嵌合している。
【００５１】
なお、マーカー保持部材２６の他方（下側）の端部においてもこれと同様の構造が形成されており、制御部２４により、上下のマーカー移動手段２８のモータ３４の同期をとって駆動することにより、２つのマーカー保持部材２６は、その平行性を保ちながら左右に移動可能である。
【００５２】
また、移動中の平行性を保つために、各マーカー保持部材２６の上下の間に、一つか二つ放射線透過性を有する材質で作られた直動ガイドを配置するようにしてもよい。
【００５３】
また、マーカー保持部材２６のより滑らかな動きを確保するために、直動ガイド３６の代わりにラックを配置し、ナット３０の上部にピニオンギアを設けて、これらが噛合して転動するような構成としてもよい。その他、平行移動においてアンバランスを生じることなく２つのマーカー保持部材２６の滑らかな平行移動が実現されるように、上下のマーカー移動手段２８の正確な同期運動を可能とする公知のあらゆる駆動手段を適用することができる。
【００５４】
次に、本実施形態の作用について説明する。
【００５５】
図１に示すように、まず被検体Ｍが立位状態で衝立１８に背中を接触させて立つと、撮影者によってその被検体Ｍに応じたＸ線源１２、コリメータ１４及びＦＰＤ１６の位置が設定される。すると、制御部２４は、以下のようにＸ線の照射野幅（照射範囲の幅）Ｗを計算で求める。
【００５６】
照射野幅Ｗは、Ｘ線源１２からＦＰＤ１６までの距離である撮影距離Ｄ、Ｘ線源１２からコリメータ１４までの距離ｆ、コリメータ１４の絞り幅ｄを用いて計算することができる。
【００５７】
すなわち、これらの値の間には、三角形の相似関係により次のような関係が成り立つ。
【００５８】
ｆ：Ｄ  ＝  ｄ：Ｗ
この比例式より、照射幅Ｗは次の式のように算出される。
【００５９】
Ｗ  ＝  Ｄ×ｄ  ／  ｆ
このように、制御部２４において照射幅Ｗが算出されると、制御部２４は、マーカー移動手段２８に指令を出して、マーカー保持部材２６の上下の２つマーカー移動手段２８の各モータ３４を同期をとって駆動し、マーカー保持部材２６を平行移動させて、マーカー２２が照射幅Ｗの端部に位置するようにる。
【００６０】
このとき、例えば図５に示すモータ３４に取り付けたエンコーダなどによってマーカー保持部材２６の停止位置を決定するようにすればよい。
【００６１】
マーカー２２の位置が決定されたら、制御部２４は、Ｘ線源１２及びＦＰＤ１６を制御して、照射範囲及びＦＰＤ１６の位置を変えて複数枚の画像撮影を行う。
【００６２】
撮影で得られた複数の画像は、ＦＰＤ１６から制御部２４に送られ、制御部２４において各画像の重複部分に写し込まれたマーカー２２に基づいて長尺画像に合成される。
【００６３】
このように、本実施形態においては、被検体Ｍに対して撮影者がＸ線源等の位置などを設定すると、あとは自動的に照射範囲が算出され、さらに自動的にマーカーがその算出された照射範囲の端の位置まで移動して配置される。
【００６４】
従って、本実施形態によれば、撮影目的によらずに確実にマーカーを照射範囲内に収めることができ、複数の画像を合成する際の目印となるマーカーの配置を簡単に行い、長尺合成における位置合わせの失敗率を減らすことができ、適切な長尺自動合成結果を得ることができる。
【００６５】
また、撮影者がマーカーの位置を設定する必要がないため、撮影時間の短縮が可能となる業務の効率化を図ることができ、従来煩雑であった長尺撮影の手間を省くことが可能となる。
【００６６】
次に、本発明の第２の実施形態について説明する。
【００６７】
本実施形態は、Ｘ線源と略同じ位置に可視光を発する照射野ランプを設けるとともに、マーカー保持手段に光センサを設けて、自動的に照射野幅Ｗを決定し、自動的にマーカーを移動させるものである。
【００６８】
図６に、本実施形態の放射線長尺撮影における撮影支援装置を用いた放射線画像撮影装置の概略構成を示す。
【００６９】
図６に示すように、本実施形態の撮影支援装置は、前述した第１の実施形態の構成に加えて、Ｘ線源１１２と略同じ位置に設置された可視光を発する照射野ランプ１５０と、マーカー保持部材１２６にマーカー１２２とは別に、マーカー１２２の間にマーカー１２２と同様に等間隔に設置された光センサ１５２を新たな構成要素として有している。
【００７０】
照射野ランプ１５０は、Ｘ線源１１２と略同じ位置から可視光を被検体Ｍに向けて発するものである。照射野ランプ１５０によって発せられた光は、コリメータ１１４によって絞られて形成される光束が衝立１１８及びマーカー装置１２０を照射し、その照射範囲は、Ｘ線による照射野と同じ領域を示す。
【００７１】
マーカー保持部材１２６に設置された光センサ１５２は、照射野ランプ１５０によって照射された範囲を検出することによって照射野幅Ｗを検出するものである。
【００７２】
光センサ１５２は、光を受光すると電流が流れるように構成されており、制御部１２４によってその電流が検知されると、制御部１２４はマーカー移動手段１２８に対して駆動指示を出すようになっている。このようにして、照射野幅Ｗの検出とマーカー位置の移動が自動的に行われる。
【００７３】
図７に、このマーカー位置の移動の様子を示す。
【００７４】
まず、図７（ａ）に示すように、初期状態においては、２つのマーカー保持部材１２６は、破線で表示された照射野幅Ｗの中央に位置している。
【００７５】
照射野ランプ１５０から光が発せられ、マーカー保持部材１２６に設置された光センサ１５２がこの光を検知すると、電流が流れ、これが制御部１２４によって検知されると制御部１２４からの指令によってマーカー移動手段１２８が駆動し、図７（ｂ）に示すように、２つのマーカー保持部材１２６は左右に離れるように平行移動する。
【００７６】
そして、破線で示した照射範囲の端部に近づくと光センサ１５２が受光する光量が減少し、光センサ１５２が照射範囲をでるとそこでマーカー保持部材１２６は停止する。このとき、光センサ１５２はマーカー保持部材１２６の外側に設置し、マーカー１２２はマーカー保持部材の内側に設置しておくことが好ましい。
【００７７】
これにより、光センサ１５２が照射範囲のぎりぎりの限界で外に出た時、マーカー１２２は丁度照射範囲の端部に位置するようになる。
【００７８】
このように、自動的に照射範囲を決定して、マーカーを移動することで、長尺撮影がよりスムーズに行えるようになる。
【００７９】
なお、これら以外の構成については、前述した第１の実施形態と同様であるので、符号の下二桁を同一とすることで、細かい説明は省略する。
【００８０】
このように、本実施形態においても、照射範囲の決定からマーカーの移動まですべて自動的に行うことができるため、長尺撮影の作業の効率化を一層勧めることが可能となる。
【００８１】
なお、以上説明した例では、立位状態での撮影について説明したが、臥位状態での撮影の場合には、衝立に替えて被検体の支持部材として撮影ベッドが使用され、これを含む構成が撮影支援装置に相当する。
【００８２】
以上、本発明の放射線長尺撮影における撮影支援装置について詳細に説明したが、本発明は、以上の例には限定されず、本発明の要旨を逸脱しない範囲において、各種の改良や変形を行ってもよいのはもちろんである。
【図面の簡単な説明】
【００８３】
【図１】本発明に係る放射線長尺撮影における撮影支援装置を用いた放射線画像撮影装置の第１の実施形態を示す概略構成図である。
【図２】（ａ）、（ｂ）は、本実施形態の放射線画像撮影装置を用いて脊椎を長尺撮影する様子を示す側面図である。
【図３】衝立及びマーカー装置の概略を示す正面図である。
【図４】（ａ）〜（ｅ）はマーカーの形状の例を示す説明図である。
【図５】マーカー移動手段の具体例を示す斜視図である。
【図６】本発明に係る放射線長尺撮影における撮影支援装置を用いた放射線画像撮影装置の第２の実施形態を示す概略構成図である。
【図７】（ａ）、（ｂ）は、マーカー位置の移動の様子を示す説明図である。
【符号の説明】
【００８４】
１０…放射線画像撮影装置、１２…Ｘ線源、１４…コリメータ、１６…フラットパネル型Ｘ線検出器（ＦＰＤ）、１８…衝立、２０…マーカー装置、２２…マーカー、２４…制御部、２６…マーカー保持部材、２８…マーカー移動手段
【図１】
2009225945.tif 000003
【図２】
2009225945.tif 000004
【図３】
2009225945.tif 000005
【図４】
2009225945.tif 000006
【図５】
2009225945.tif 000007
【図６】
2009225945.tif 000008
【図７】
2009225945.tif 000009